(57)【要約】【課題】  ユーザが最初に行った選択操作に合わせて設定項目のグループを再分類し、現在使用している類似端末の操作や、過去の操作記憶に近い操作とする。【解決手段】  複数の選択メニュー画面のそれぞれの項目と、各項目に対応した画面番号とが対となって記憶部に記憶されており、一の選択メニュー画面における所定の項目を画面番号と共に他の選択メニュー画面に追加することにより当該項目を他の選択メニュー画面に設定する。【選択図】  図５
2006146722.tif 000002
【特許請求の範囲】
【請求項１】
複数の選択メニュー画面のそれぞれの項目と、前記各項目に対応した画面番号とが対となって記憶部に記憶されており、一の選択メニュー画面における所定の前記項目を前記画面番号と共に他の前記選択メニュー画面に追加することにより当該項目を他の前記選択メニュー画面に設定することを特徴とする情報入力装置における項目の設定方法。
【請求項２】
複数の選択メニュー画面のそれぞれの項目と、前記各項目に対応した画面番号とが対となって記憶部に記憶されており、一の選択メニュー画面における所定の前記項目を前記画面番号と共に他の前記選択メニュー画面に移動することにより当該項目を他の前記選択メニュー画面に設定することを特徴とする情報入力装置における項目の設定方法。
【請求項３】
前記所定の項目を前記画面番号と共に移動する際に、移動許可信号の入力を待って移動を行うことを特徴とする請求項２記載の情報入力装置における項目の設定方法。
【発明の詳細な説明】
【技術分野】
【０００１】
本発明は、ファクシミリ装置などにおける情報入力装置に関し、特に異なった選択ニュー画面間での項目の変更を行う情報入力装置における項目の設定方法に関する。
【背景技術】
【０００２】
新しい情報端末を初めて操作するユーザは、現在使用している類似端末の操作や、過去の操作記憶から類推して、その操作を行う。一方、昨今、情報端末機器は多機能化、複合化し、設定可能な項目が多数となっているため、設定項目を幾つかのグループに分類している。この分類は、様々な操作履歴を持つユーザにとって一様に最適なものとは限らない。そのため、ユーザによっては必ずしもスムーズに操作できないものとなっている。
【特許文献１】特開２００１−２８５４４６号公報
【発明の開示】
【発明が解決しようとする課題】
【０００３】
本発明の課題は、ユーザが最初に行った選択操作に合わせて設定項目のグループを再分類し、現在使用している類似端末の操作や、過去の操作記憶に近い操作とすることにより新しい情報入力装置の操作性を向上させることである。
【課題を解決するための手段】
【０００４】
請求項１記載の発明は、複数の選択メニュー画面のそれぞれの項目と、前記各項目に対応した画面番号とが対となって記憶部に記憶されており、一の選択メニュー画面における所定の前記項目を前記画面番号と共に他の前記選択メニュー画面に追加することにより当該項目を他の前記選択メニュー画面に設定することを特徴とする。
【０００５】
請求項２記載の発明は、複数の選択メニュー画面のそれぞれの項目と、前記各項目に対応した画面番号とが対となって記憶部に記憶されており、一の選択メニュー画面における所定の前記項目を前記画面番号と共に他の前記選択メニュー画面に移動することにより当該項目を他の前記選択メニュー画面に設定することを特徴とする。
【０００６】
請求項３記載の発明は、請求項２記載の発明において、前記所定の項目を前記画面番号と共に移動する際に、移動許可信号の入力を待って移動を行うことを特徴とする。
【発明の効果】
【０００７】
本発明によれば、最初にその設定項目が属していると想像していた選択メニュー画面に対して、その設定項目が追加あるいは移動されるため、次回からは想像しているメニュー画面にその設定項目を見つけることができ、これにより操作性を向上させることができる。
【発明を実施するための最良の形態】
【０００８】
この実施の形態では、ファクシミリ装置を用いた場合について説明する。この実施の形態では、ファクス初期設定が「受信設定」と「管理者設定」にグループ分けされており、各グループにはデフォルト状態として、以下の設定項目が上位から下位に対して含まれている仕様となっている。
【０００９】
ファクス初期設定
受信設定
受信モード設定
ダイヤルイン番号登録
・・
管理者設定
特定相手先別機能
パラメータ設定
・・
【００１０】
図８は、操作フローを示す。この場合、ユーザが設定する設定項目は、「ダイヤルイン番号登録」とすることである。
【００１１】
ユーザは「ダイヤルイン番号登録」が「管理者設定」グループ内に存在していると想定して操作を開始する。すなわち、画面１で「初期設定」キーを押下した後、画面３で「管理者設定」を選択する。そして、画面４、５における「管理者設定」グループに含まれる設定項目を順に確認する。すなわち「下矢印」キー押下を繰り返す。結局、「管理者設定」グループには設定項目として「ダイヤルイン番号登録」が含まれていないことを理解し、「戻る」キーを押下することにより画面６のグループ選択画面へ戻る。
【００１２】
その後、画面７で「受信設定」グループに遷移し、画面８で「ダイヤルイン番号登録」を見つけて、画面９のダイヤルイン番号登録画面へ到達することができる。
【００１３】
図９は、その後のダイヤルイン番号登録画面（画面１０）を示し、そのガイダンスに沿ってキーを押下することにより、「ダイヤルイン番号登録」を管理者設定メニューに移動することができる。
【００１４】
これに対し、この実施の形態では、図１に示すように、最初に選択したメニューグループ画面を記憶するための「画面番号」を記憶する記憶部を設ける。また、図２に示す項目設定画面−項目選択メニュー画面の対応表を設けるものである。図２に示す対応表では、複数の選択メニュー画面のそれぞれの項目と、各項目に対応した画面番号とが対となって記憶されるものである。すなわち、図２の対応表では、「図面番号」と、「項目」と、「項目選択メニュー画面」とが対応しており、選択メニュー画面を画面番号で特定することが可能となっている。
【００１５】
図５は、初めてファクス初期設定画面（図８における画面２）に遷移してきたときに実行するフローチャートを示す。
【００１６】
ステップＳ１１では、図１に示す「最初に選択した項目選択メニュー画面」をクリアする。このクリア状態では、ＮＵＬＬ（０×００）の値となる。ステップＳ１２では、項目選択メニュー画面（図８の操作フロー例における画面４または画面８）に遷移するのを待ち、遷移した時点で「項目設定画面−項目選択メニュー画面対応表」から遷移してきた項目選択メニュー画面を検索し、該当する項目設定画面の文字列（「ダイヤルイン番号登録」）を表示する（ステップＳ１３）。また、図１の「最初に選択した項目選択メニュー画面」にその画面番号（「ｂ２」）を記憶する（ステップＳ１４）。
【００１７】
次に、項目設定画面（図８の操作フロー例における画面）に遷移するのを待ち（ステップＳ１５）、遷移した時点で、「項目設定画面−項目選択メニュー画面対応表」を使って、その項目設定画面に対応する項目選択メニュー画面と「最初に選択した項目選択メニュー画面」を比べる（ステップＳ１６）。このとき、同じであれば何もしない。
【００１８】
異なっていた場合、その項目設定画面、文字列、「最初に選択した項目選択メニュー画面」を「項目設定画面−項目選択メニュー画面対応表」に追加する（ステップＳ１７）。すなわち、「画面番号ｂ２」、「ダイヤルイン番号登録」、「メニューＡの画面番号」を追加する。図３は、以上によって変更された「項目設定画面−項目選択メニュー画面対応表」を示す。
【００１９】
このような操作では、最初にその設定項目が属していると想像していた選択メニュー画面に対して、その設定項目が追加されるため、次回からは想像しているメニュー画面にその設定項目を見つけることができ、操作性を向上させることができる。
【００２０】
図６は、この実施の形態による別のフローチャートを示す。ステップＳ２１では、図１に示す「最初に選択した項目選択メニュー画面」をクリアする。ステップＳ２２では、項目選択メニュー画面（図８の操作フロー例における画面４または画面８）に遷移するのを待ち、遷移した時点で「項目設定画面−項目選択メニュー画面対応表」から遷移してきた項目選択メニュー画面を検索し、該当する項目設定画面の文字列（「ダイヤルイン番号登録」）を表示する（ステップＳ２３）。また、図１の「最初に選択した項目選択メニュー画面」にその画面番号（「ｂ２」）を記憶する（ステップＳ２４）。
【００２１】
次に、項目設定画面（図８の操作フロー例における画面９）に遷移するのを待ち（ステップＳ２５）、遷移した時点で、「項目設定画面−項目選択メニュー画面対応表」を使って、その項目設定画面に対応する項目選択メニュー画面と「最初に選択した項目選択メニュー画面」を比べる（ステップＳ２６）。このとき、同じであれば何もしない。
【００２２】
異なっていた場合、「項目設定画面−項目選択メニュー画面対応表」の中で、その項目設定画面に該当する箇所の項目選択メニュー画面を「最初に選択した項目選択メニュー画面」番号に変更する（ステップＳ２７）。図４は、以上によって変更された「項目設定画面-項目選択メニュー画面対応表」を示す。
【００２３】
図７は、さらに別のフローチャートを示す。ステップＳ３１では、図１に示す「最初に選択した項目選択メニュー画面」をクリアする。ステップＳ３２では、項目選択メニュー画面（図８の操作フロー例における画面４または画面８）に遷移するのを待ち、遷移した時点で「項目設定画面−項目選択メニュー画面対応表」から遷移してきた項目選択メニュー画面を検索し、該当する項目設定画面の文字列（「ダイヤルイン番号登録」）を表示する（ステップＳ３３）。また、図１の「最初に選択した項目選択メニュー画面」にその画面番号（「ｂ２」）を記憶する（ステップＳ３４）。
【００２４】
次に、項目設定画面（図８の操作フロー例における画面９）に遷移するのを待ち（ステップＳ３５）、遷移した時点で、「項目設定画面−項目選択メニュー画面対応表」を使って、その項目設定画面に対応する項目選択メニュー画面と「最初に選択した項目選択メニュー画面」を比べる（ステップＳ３６）。このとき、同じであれば何もしない。
【００２５】
異なっていた場合、設定項目を「最初に選択した項目選択メニュー画面」に移動して良いかを問うガイダンス(図９の操作フロー例における画面１０の設定項目移動可否ガイダンス)を表示し（ステップＳ３７）、ユーザが否定操作した場合は何もしない。ユーザが肯定操作した場合には、「項目設定画面−項目選択メニュー画面対応表」の中で、その項目設定画面に該当する箇所の項目選択メニュー画面を「最初に選択した項目選択メニュー画面」番号に変更する（ステップＳ３８）。以上によって変更された「項目設定画面-項目選択メニュー画面対応表」は図４となる。
【００２６】
図７のフローチャートによる場合には、最初にその設定項目が属していると想像していた選択メニュー画面に対して、その設定項目が追加されるため、次回からは想像しているメニュー画面にその設定項目を見つけることができ、操作性を向上させることができる。これに加えて、操作手順を学習し、設定項目の移動を行いたくないユーザあるいは単に操作ミスしたユーザにとっては設定項目の移動を選択的に実行させることができるため操作性を向上させることができる。
【図面の簡単な説明】
【００２７】
【図１】最初に選択した項目選択メニュー画面である。
【図２】項目設定画面−項目選択メニュー画面対応表である。
【図３】図５のフローチャートに基づいて得られた項目設定画面−項目選択メニュー画面対応表である。
【図４】図６及び図７のフローチャートに基づいて得られた項目設定画面−項目選択メニュー画面対応表である。
【図５】設定項目を追加する操作を示すフローチャートである。
【図６】設定項目を移動する操作を示すフローチャートである。
【図７】図６の変形々態を示すフローチャートである。
【図８】操作を示すフローチャートである。
【図９】設定項目移動可否ガイダンスの画面である。
【図１】
2006146722.tif 000003
【図２】
2006146722.tif 000004
【図３】
2006146722.tif 000005
【図４】
2006146722.tif 000006
【図５】
2006146722.tif 000007
【図６】
2006146722.tif 000008
【図７】
2006146722.tif 000009
【図８】
2006146722.tif 000010
【図９】
2006146722.tif 000011